(57)【要約】【課題】電気光学パネルの周辺領域を覆うカバーの熱膨張や熱収縮に伴う応力が電気光学パネルに負荷されることを無くし、電気光学パネルの表示不良や外観不良を防止することができる電気光学装置を提供する。【解決手段】素子基板１０と対向基板２０との間に液晶層３０を挟持してなる液晶パネル２と、液晶パネル２を保持する実装ケース６とを備え、実装ケース６が、液晶パネル２の画素領域に対応する窓部５１ａを有すると共に周辺領域を覆うカバー５を有し、カバー５が、液晶パネル２の一方の面に設けられた偏光板１１と離間して設けられている電気光学装置であり、液晶パネル２と実装ケース６との接触領域は弾性接着材８で接着すると好適である。【選択図】図５
2010117638.tif 000002
【特許請求の範囲】
【請求項１】
複数の画素からなる画素領域及び該画素領域の周辺に設けられた周辺領域を有する電気
光学パネルと、
前記電気光学パネルを保持する実装ケースとを備え、
前記実装ケースは、前記電気光学パネルの画素領域に対応して開口された窓部を有する
と共に、前記周辺領域を覆うカバーを有し、
前記カバーは、前記電気光学パネルの一方の面と離間して設けられていることを特徴と
する電気光学装置。
【請求項２】
前記電気光学パネルの一方の面に貼り付けられた偏光板を有し、
前記カバーと前記偏光板とが離間して設けられていることを特徴とする請求項１記載の
電気光学装置。
【請求項３】
前記実装ケースは、前記電気光学パネルを支持する支持部を有し、
前記電気光学パネルは、前記支持部に弾性接着材で接着されることを特徴とする請求項
１又は２記載の電気光学装置。
【請求項４】
前記電気光学パネルと前記実装ケースとの接触領域が弾性接着材で接着されることを特
徴とする請求項３記載の電気光学装置。
【請求項５】
請求項１〜４の何れかに記載の電気光学装置を備えることを特徴とする電子機器。
【発明の詳細な説明】
【技術分野】
【０００１】
本発明は、液晶パネル等の電気光学パネルを備える電気光学装置、及びこの電気光学装
置を備える電子機器に関する。
【背景技術】
【０００２】
液晶装置等の電気光学装置は、コンピュータや携帯電話その他各種電子機器における表
示装置等として用いられており、特に液晶装置は、軽量・薄型で消費電力も少ないことか
ら各種電子機器の表示装置等として広く利用されている。
【０００３】
液晶パネル等の電気光学パネルを備える電気光学装置としては、実装ケースで電気光学
パネルを保持すると共に、実装ケースの一部を構成するカバーで電気光学パネルの周辺領
域を覆うものが知られている。例えば特許文献１には、実装ケースに設けられている支持
部で液晶パネルを支持し、実装ケースを構成するカバー（シールドケース）で液晶パネル
の周辺領域を覆う液晶装置が開示されている。
【０００４】
【特許文献１】特開２００５−７７５５７号公報
【発明の開示】
【発明が解決しようとする課題】
【０００５】
ところで、特許文献１の液晶装置は、カバーを液晶パネルの外側の基板に接触するよう
に配置して、遮光している。しかしながら、カバーを液晶パネルに接触して配置すると、
カバーの熱膨張や熱収縮に伴う応力が液晶パネルに負荷され、表示不良や外観不良を招く
という問題が生ずる。
【０００６】
本発明は上記問題点を解消するために提案するものであって、電気光学パネルの周辺領
域を覆うカバーの熱膨張や熱収縮に伴う応力が電気光学パネルに負荷されることを無くし
、電気光学パネルの表示不良や外観不良を防止することができる電気光学装置及び電子機
器を提供することを目的とする。
【課題を解決するための手段】
【０００７】
本発明の電気光学装置は、複数の画素からなる画素領域及び該画素領域の周辺に設けら
れた周辺領域を有する電気光学パネルと、前記電気光学パネルを保持する実装ケースとを
備え、前記実装ケースが、前記電気光学パネルの画素領域に対応して開口された窓部を有
すると共に、前記周辺領域を覆うカバーを有し、前記カバーが、前記電気光学パネルの一
方の面と離間して設けられていることを特徴とする。
本発明によれば、カバーを電気光学パネルの一方の面と離間して設けることにより、電
気光学パネルの周辺領域を覆うカバーの熱膨張や熱収縮に伴う応力が電気光学パネルに負
荷されることを無くすことができる。特に、液晶パネル等の電気光学パネルは、高温や低
温の様々な環境下で使用されるので、カバーの熱膨張、熱収縮に伴う応力の電気光学パネ
ルへの負荷を無くすことは極めて重要である。そして、斯様な応力の負荷を無くすことで
、電気光学パネルの表示不良や外観不良を防止することができる。
【０００８】
また、本発明の電気光学装置は、前記電気光学パネルの一方の面に貼り付けられた偏光
板を有し、前記カバーと前記偏光板とが離間して設けられていることを特徴とする。
本発明によれば、カバーが偏光板と接触して表示不良が生ずることを防止できる。また
、偏光板の外縁近傍領域をカバーの下側に重ねるようにして設けることが可能となり、光
漏れをより確実に防止することができる。
【０００９】
また、本発明の電気光学装置は、前記実装ケースは、前記電気光学パネルを支持する支
持部を有し、前記電気光学パネルが前記支持部に弾性接着材で接着されることを特徴とす
る。
本発明によれば、支持部の熱膨張や熱収縮に伴う応力を弾性接着材の弾性で吸収して、
電気光学パネルに負荷されることを無くす或いは抑制することが可能となり、電気光学パ
ネルの表示不良や外観不良をより確実に防止することができる。
【００１０】
また、本発明の電気光学装置は、前記電気光学パネルと前記実装ケースとの接触領域が
弾性接着材で接着されることを特徴とする。
本発明によれば、実装ケースの熱膨張や熱収縮に伴う応力を弾性接着材の弾性で吸収し
て、電気光学パネルに負荷されることを無くす或いは抑制することが可能となり、電気光
学パネルの表示不良や外観不良をより一層確実に防止することができる。
【００１１】
また、本発明の電子機器は、本発明の電気光学装置を備えることを特徴とする。
本発明によれば、本発明の電気光学装置の作用効果を有する電子機器を構成することが
できる。
【発明を実施するための最良の形態】
【００１２】
〔実施形態の電気光学装置〕
本発明の電気光学装置の例として、液晶装置による実施形態の電気光学装置について説
明する。図１（ａ）は実施形態の電気光学装置を示す平面図、同図（ｂ）はその側面図、
図２、図３及び図４はそれぞれ図１におけるＡ−Ａ、Ｂ−ＢおよびＣ−Ｃ断面図、図５は
図３の要部断面図である。
【００１３】
本実施形態の電気光学装置としての液晶装置１は、図１〜図５に示すように、電気光学
パネルとしての液晶パネル２と、液晶パネル２の背面側に配設されるバックライトユニッ
ト３とを、実装ケース６で保持している。実装ケース６は、液晶パネル２とバックライト
ユニット３とを保持する保持部材であるフレーム４と、フレーム４に保持された液晶パネ
ル２の少なくともを一部を覆うようにして配設される保持部材であるカバー５とから構成
される。なお、カバー５は遮光部材からなる。
【００１４】
フレーム４は、図１〜図５に示すように、前後方向など一の方向で対向する側壁４１、
側壁４２と、対向する側壁４１、４２と交差する方向で対向する側壁４３・４３を有する
と共に、側壁４１〜４３から内側に突出して形成されている支持部４４を有し、中央部に
透光用の開口部４４ａを有する仕切板状の支持部４４を備えた断面略Ｈ字形の枠状に形成
されている。フレーム４は例えばポリカーボネートにより形成され、黒色とされている。
支持部４４の一方側に相当するＨ字形フレーム４の一方の凹部４ａ（図２〜図５の場合は
支持部４４よりも上側の凹部）には、液晶パネル２が収容して取り付けられ、支持部４４
の他方側に相当する他方の凹部４ｂ（図２〜図５の場合は支持部４４よりも下側の凹部）
には、バックライトユニット３が収容して取り付けられている。また、側壁４１・４２に
は、バックライトユニット３からの漏れ光を防止可能なフランジ状の突出部４１ａ・４２
ａが形成され、その両突出部４１ａ・４２ａ間にカバー５が配置されている。
【００１５】
液晶パネル２とバックライトユニット３は、凹部４ａ、４ｂでそれぞれ嵌合されるよう
にしてフレーム４により保持されている。液晶パネル２は、例えば対向基板２０の周縁を
素子基板１０と反対側からダイシングで半分程度カットして形成され、液晶パネル２の側
面２ａと段差を有する内側面２０ｂを有し、内側面２０ｂは、段差面２０ａを介して液晶
パネル２の側面２ａと連続している。図５中の２０ｃは、支持部４４側の面である対向基
板２０の外面である。また、フレーム４の側壁４３の内面には、上部に位置する略垂直の
第１嵌合面４６ａと、第１嵌合面の支持部４４側の端部から延びて、支持部４４側に向か
って内向きに傾斜する段差面の第２嵌合面４６ｂと、第２嵌合面４６ｂの支持部４４側の
端部から延びる略垂直の第３嵌合面４６ｃとが形成され、第３嵌合面４６ｃの支持部４４
側の端部は、支持部４４の一方側の面である上面４４ｂの外端部と連なっている。側壁４
１の後述する凹部４１ｂ、４１ｃの形成箇所以外の部分と、側壁４２にも、同様に第１嵌
合面４６ａ、第２嵌合面４６ｂ、第３嵌合面４６ｃが形成されており、第３嵌合面４６ｃ
の支持部４４側の端部は、支持部４４の一方側の面である上面４４ｂの外端部と連なって
いる。
【００１６】
液晶パネル２の側面２ａ、段差面２０ａ、内側面２０ｂ、外面２０ｃの端部と、フレー
ム４の側壁４１〜４３の第１嵌合面４６ａ、第２嵌合面４６ｂ、第３嵌合面４６ｃ及び支
持部４４の上面４４ｂとは、嵌合可能な対応する形状と寸法で形成されており、第１嵌合
面４６ａ、第２嵌合面４６ｂ、第３嵌合面４６ｃ及び上面４４ｂで構成される嵌合受部に
、側面２ａ、段差面２０ａ、内側面２０ｂ、外面２０ｃの端部で構成される嵌合部を嵌合
して取り付け、液晶パネル２がフレーム４により保持される。また、バックライトユニッ
ト３は、支持部４４の他方側の面である下面４４ｃと、側壁４１〜４３の内面とで構成さ
れる凹部４ｂに嵌合されている。
【００１７】
液晶パネル２及びバックライトユニット３は、必要に応じて弾性接着材等の接着材や両
面接着テープ等でフレーム４に固着すると好ましい。本実施形態では、液晶パネル２とフ
レーム４とを全接触領域でシリコン系接着材等の弾性接着材８により固着しており、液晶
パネル２側の嵌合部とフレーム４側の嵌合受部による接触領域、即ち第１嵌合面４６ａと
側面２ａ、第２嵌合面４６ｂと段差面２０ａ、第３嵌合面４６ｃと内側面２０ｂ、支持部
２２の上面４４ｂと外面２０ｃの端部とを弾性接着材８で接着している。尚、液晶パネル
２とフレーム４との接触領域の一部だけを弾性接着材８等の接着材で固着してもよく、例
えば支持部２２の上面４４ｂと対向基板２０の外面２０ｃの端部だけを弾性接着材８で接
着してもよい。また、バックライトユニット３は、液晶パネル２に対して所定の領域以外
に光が照射されるのを防ぐためのカバーを兼ねる略方形枠状の両面接着テープ３１を介し
て、フレーム４の支持部４４の他方の面（図２〜図４の場合は下面）に固着されている。
バックライトユニット３は、微粘着テープ等で着脱可能に固定すると、バックライトユニ
ット３のフレーム４からの取り外し時に、取り外し作業を容易化することができるので好
ましい。
【００１８】
カバー５は、図１〜図５に示すように、フレーム４内に収容した液晶パネル２の一方の
面（図２〜図５の場合は上面）を覆う天板５１と、天板５１の幅方向（図３及び図４にお
いて左右方向）両端部に天板５１から略直角に屈曲して形成した側壁５２・５２とを有し
、天板５１が、液晶パネル２の一方の面側をその一方の面と離間して覆うと共に、対向す
る側壁５２・５２が、それぞれフレーム４の互いに対向する側壁４３・４３の外面の一部
を覆うようになっている。本実施形態では、液晶パネル２の一方の基板である素子基板１
０の外面側に設けられている偏光板１１と離間して、天板５１が液晶パネル２の一方側の
面を覆っている。図５に示すカバー５の天板５１と偏光板１１など液晶パネル２の一方の
基板との離間距離Ｈは０．１〜０．５ｍｍとすると、液晶パネル２に傷をつけず且つ光漏
れを確実に防止できるので好ましい。また、カバー５の天板５１には、図５に示す液晶パ
ネル２の画素領域２Ａに対応する位置に、その部分を開口して形成した窓部５１ａが設け
られ、天板５１は、液晶パネル２の画素領域２Ａの周辺領域を覆うように配置される。カ
バー５は、例えばステンレス、アルミ等で形成されると共に、視認可能な外側面は黒く塗
装されており、表示コントラストを高め、視認時の眩しさを防止できるようになっている
。
【００１９】
本実施形態では、液晶パネル２とバックライトユニット３とをフレーム４に保持させた
状態で、カバー５の側壁５２とバックライトユニット３とを連結し、４つの部材２〜５を
一体化している。カバー５の側壁５２とバックライトユニット３との連結手段としては、
各側壁５２・５２に係合部である係合孔５２ｃが形成され、係合孔５２ｃに係合する係合
突起３ａがバックライトユニット３の図４の左右両側の端部に一体的に設けられており、
係合孔５２ｃと係合突起３ａとの係合によって連結される。尚、カバー５とバックライト
ユニット３の係合構造、カバー５に設ける係合部の構成は適宜であり、例えばカバー５側
に係合部として爪状等の凸部を設け、バックライトユニット３側に凹部を設け、凸部と凹
部を係合する構成等としてもよい。図中、４３ａはフレーム４の各側壁４３・４３の外面
側に、それと一体的に且つカバー５の側壁５２よりも外側に突出して設けられている張出
部であり、張出部４３ａとの干渉を避けるようにして各側壁５２・５２には凹部５２ａが
形成され、凹部５２ａの両側の下向きの突出部５２ｂ・５２ｂにそれぞれ係合孔５２ｃが
形成されている。
【００２０】
係合孔５２ｃが係合する係合突起３ａは、各係合孔５２ｃに対応してバックライトユニ
ット３の図４で左右両側の端部に、それぞれ２つずつ設けられている。図中、４ｃは各係
合突起３ａの近傍のフレーム４の側壁４３・４３の外面に設けた案内突起であり、各案内
突起４ｃのほぼ上半部には傾斜面４ｃ１が設けられている。各係合孔５２ｃをバックライ
トユニット３の係合突起３ａに係合させる際には、側壁５２の各係合孔５２ｃの下側の縁
部が案内突起４ｃ及び係合突起３ａによって外側方に押し開かれ、側壁５２の下側の縁部
が案内突起４ｃ及び係合突起３ａを乗り越えることによって各係合孔５２ｃが係合突起３
ａに係合するようになっている。
【００２１】
図１〜図５の液晶装置１で用いる液晶パネル２の構成は適宜であるが、本実施形態では
画素用のスイッチング素子として薄膜トランジスタを用いたアクティブマトリックス型の
液晶パネルを用いており、その具体的な構成を図６に基づいて説明する。図６（ａ）は液
晶パネル２の平面図、同図（ｂ）は同図（ａ）におけるａ−ａ断面図である。
【００２２】
本実施形態の液晶パネル２は、石英、ガラス若しくはシリコン等からなる素子基板（Ｔ
ＦＴアレイ基板）１０上に薄膜トランジスタが設けられ、その素子基板１０に対向してガ
ラスや石英等からなる対向基板２０が設けられている。一対の基板である素子基板１０と
対向基板２０とは、画素領域（画像表示領域）２Ａの周囲に設けたシール材２４により相
互に接着固定され、シール材２４の内側の素子基板１０と対向基板２０との間には電気光
学物質である液晶層３０が封入されている。図６（ａ）において、２４ａはシール材２４
の一部を欠落させて形成した液晶注入口、２４ｂは液晶注入口２４ａを塞ぐ封止材である
。
【００２３】
シール材２４の外側の領域、即ち画素領域２Ａの外側の周辺領域には、不図示のデータ
線に画像信号を所定のタイミングで供給することによりデータ線を駆動するデータ線駆動
回路１４および外部回路接続端子１５が素子基板１０の一辺に沿って設けられている。ま
た不図示の走査線に走査信号を所定のタイミングで供給することにより走査線を駆動する
走査線駆動回路１６が、データ線駆動回路１４が設けられている一辺に隣接する二辺と平
行に且つシール材２４の内側に設けた遮光膜２５に対向する位置において素子基板１０上
に設けられている。素子基板１０の残る一辺には、走査線駆動回路１６の外部回路接続端
子１５側と反対側をつなぐための複数の配線１７が設けられている。
【００２４】
シール材２４の４つのコーナー部における素子基板１０上には上下導通端子１９が形成
され、素子基板１０と対向基板２０相互間には、下端が上下導通端子１９に接触し、上端
が対向電極２０に接触する上下導通材１８が設けられており、その上下導通材１８によっ
て、素子基板１０と対向基板２０との間で電気的な導通がとられている。
【００２５】
素子基板１０上には画素を構成する画素電極１２等が設けられ、その液晶層３０側には
配向膜１３が設けられている。また対向基板２０上にはその略全面に亘って対向電極２２
が設けられ、液晶層３０側にも配向膜２３が設けられている。各配向膜１３，２３は、例
えば、ポリイミド膜等の透明な有機膜からなり、その表面にラビング処理等を施こすこと
によって液晶層３０内の液晶分子が、液晶層３０に供給される電圧に応じて所定の方向に
配向する。
【００２６】
図１〜図５の液晶装置１では、図６の液晶パネル２を、その上下位置を反転してフレー
ム４に配置して保持されているが、液晶パネル２の向きやフレーム４による液晶パネル２
の保持構造等は適宜変更可能である。図１〜図５において、１１、２１は素子基板１０及
び対向基板２０のそれぞれ液晶層３０と反対側に設けた偏光板、２６、２７は、それぞれ
液晶パネル２及びバックライトユニット３と外部の電源や信号入力源とを電気的に接続す
るための導電接続部材を兼ねる可撓性プリント配線基板（ＦＰＣ）、４１ｂ、４１ｃは液
晶パネル２及びバックライトユニット３をフレーム４内に収容する際に、可撓性プリント
配線基板２９、３０がフレーム４の前方の側壁４１と干渉するのを防ぐために側壁４１に
形成した凹部である。
【００２７】
図１〜図５の液晶装置１で用いるバックライトユニット３は、ＬＥＤ等の光源からの光
を導光体や光拡散板等を介して液晶パネル２の背面側に照射する構成であり、それらの構
成部材をケーシング等で覆ってユニット化したものである。バックライトユニット３の構
成部材や内部構造等は適宜変更可能であり、図示例においてはその構成部材や内部構造等
は省略して全体的な外観形状のみを表している。
【００２８】
液晶パネル２及びバックライトユニット３を実装ケース６に収容配置する際の手順は適
宜であるが、例えば以下の手順で行う。先ず、図７（ａ）のようにフレーム４の一方側（
図の場合は上側）の凹部４ａに液晶パネル２を、他方側（図の場合は下側）の凹部４ｂに
バックライトユニット３をそれぞれ挿入して、フレーム４で保持させる。液晶パネル２は
、対向基板２０をフレーム４側に向けて凹部４ａ内に挿入され、液晶パネル２の側面２ａ
、段差面２０ａ、内側面２０ｂ、外面２０ｃの端部で構成される嵌合部と、フレーム４の
側壁４１〜４３の第１嵌合面４６ａ、第２嵌合面４６ｂ、第３嵌合面４６ｃ及び支持部４
４の上面４４ｂで構成される嵌合受部とが嵌合されると共に、液晶パネル２とフレーム４
の接触領域である第１嵌合面４６ａと側面２ａ、第２嵌合面４６ｂと段差面２０ａ、第３
嵌合面４６ｃと内側面２０ｂ、支持部２２の上面４４ｂと外面２０ｃの端部とが弾性接着
材８で接着される。また、バックライトユニット３は、係合突起３ａ側を支持部４４側に
して凹部４ｂ内に挿入され、支持部４４に微粘着テープである両面接着テープ３１を介し
て着脱可能に固定される。
【００２９】
次いで、図７（ｂ）のように、液晶パネル２とバックライトユニット３とを保持するフ
レーム４に対し、液晶パネル２側からカバー５を外嵌し、天板５１で液晶パネル２の外面
側を覆うと共に、対向する側壁５２・５２で、それぞれフレーム４の互いに対向する側壁
４３・４３の外面の一部を覆う。外嵌の際には、カバー５の側壁５２が案内突起４ｃ及び
係合突起３ａによって外側方に押し開かれ、側壁５２の下側の縁部が案内突起４ｃ及び係
合突起３ａを乗り越えることによって、各係合孔５２ｃが係合突起３ａに係合する。そし
て、外嵌されて液晶パネル２を覆うように配置されたカバー５の天板５１は、液晶パネル
２の一方側の偏光板１１と離間するように配置される。
【００３０】
本実施形態によれば、カバー５を液晶パネル２の一方の面である偏光板１１と離間して
設けることにより、高温や低温の様々な環境下で使用される液晶パネル２に対し、その周
辺領域を覆うカバー５の熱膨張や熱収縮に伴う応力が負荷されることを無くすことができ
、これにより、液晶パネル２の表示不良や外観不良を防止することができる。また、偏光
板１１の外縁近傍領域をカバー５の天板５１の下側に重ねられるので、光漏れをより確実
に防止することができる。また、実装ケース６を構成するフレーム４と液晶パネル２との
接触領域を弾性接着材８で接着することにより、フレーム４の熱膨張や熱収縮に伴う応力
を弾性接着材８の弾性で吸収して、液晶パネル２に負荷されることを無くす或いは抑制す
ることが可能となり、液晶パネル２の表示不良や外観不良をより一層確実に防止すること
ができる。
【００３１】
〔実施形態の変形例等〕
本発明は上記実施形態に限定されるものではなく、本発明の目的を達成できる範囲内で
変形、改良等したものも本発明に含まれる。例えば上記実施形態は、本発明を電気光学装
置として液晶装置に適用し、電気光学パネルとしてアクティブマトリックス型の液晶パネ
ルを用いた場合を例にして説明したが、パッシブマトリクス型の液晶パネルを用いてもよ
く、また、本発明の電気光学装置は液晶装置に限定されず、エレクトロルミネッセンス装
置、有機エレクトロルミネッセンス装置、プラズマディスプレイ装置、電気泳動ディスプ
レイ装置、フィールドエミッションディスプレイ装置等の各種の電気光学装置においても
本発明を適用することが可能である。尚、電気光学パネルの一方側の面に偏光板１１等を
設けない構成の場合、或いは偏光板１１等がカバー５の窓部５１ａ等に収まる場合には、
電気光学パネルの一対の基板のうち一方の基板等、例えば素子基板１０又は対向基板２０
等とカバー５の天板５１等が離間する構成とする。
【００３２】
また、本発明の電気光学装置は、各種の電子機器の表示部等として用いることができる
。図８はその一例を示すもので、実施形態の電気光学装置である液晶装置１を、電子機器
７としてのデジタルカメラ７０におけるエレクトリカルビューファインダ（ＥＶＦ）とし
て用いたものである。図中７１は画像表示モニタ、７２はシャッタボタン、７３はダイヤ
ルスイッチ、７４は電源ボタンである。
【００３３】
また、本発明による電気光学装置を用いる電子機器は、デジタルカメラ７０に限定され
ず、その他各種の電子機器に適用可能である。例えば携帯電話機やＰＤＡ（Personal Dig
ital Assistants）と呼ばれる携帯型情報機器、携帯型パーソナルコンピュータ、パーソ
ナルコンピュータ、ワークステーション、デジタルスチルカメラ、車載用モニタ、デジタ
ルビデオカメラ、液晶テレビ、ビューファインダ型、モニタ直視型のビデオテープレコー
ダ、カーナビゲーション装置、ページャ、電子手帳、電卓、ワードプロセッサ、ワークス
テーション、テレビ電話機、およびＰＯＳ端末機などの電子機器にも広く利用することが
できる。
【図面の簡単な説明】
【００３４】
【図１】（ａ）は本発明の電気光学装置としての液晶装置の一実施形態を示す平面図、（ｂ）はその側面図。
【図２】図１におけるＡ−Ａ断面図。
【図３】図１におけるＢ−Ｂ断面図。
【図４】図１におけるＣ−Ｃ断面図。
【図５】図３の要部断面図。
【図６】（ａ）は電気光学パネルとしての液晶パネルの具体的な構成の一例を示す平面図、（ｂ）は（ａ）におけるａ−ａ断面図。
【図７】（ａ）は液晶パネルとバックライトユニットをフレームに取り付ける工程を説明する説明図、（ｂ）は液晶パネルとバックライトユニットを保持するフレームにカバーを取り付ける工程を説明する説明図。
【図８】本発明の電気光学装置としての液晶装置を用いた電子機器としてのデジタルカメラの背面図。
【符号の説明】
【００３５】
１…液晶装置（電気光学装置）  ２…液晶パネル（電気光学パネル）  ２ａ…側面  ３…
バックライトユニット  ３ａ…係合突起  ３１…両面接着テープ  ４…フレーム  ４ａ、
４ｂ…凹部  ４ｃ…案内突起  ４ｃ１…傾斜面  ４１、４２、４３…側壁  ４１ａ、４２
ａ…突出部  ４１ｂ、４１ｃ…凹部  ４３ａ…張出部  ４４…支持部  ４４ａ…開口部  
４４ｂ…上面  ４４ｃ…下面  ４５…切欠  ４６ａ…第１嵌合面  ４６ｂ…第２嵌合面  
４６ｃ…第３嵌合面  ５…カバー（遮光部材）  ５１…天板  ５１ａ…窓部  ５２…側壁
５２ａ…凹部  ５２ｂ…突出部  ５２ｃ…係合孔  ６…実装ケース  ７…電子機器  ８
…弾性接着材  ７０…デジタルカメラ  ７１…画像表示モニタ  ７２…シャッタボタン  
７３…ダイヤルスイッチ  ７４…電源ボタン  １０…素子基板  １１…偏光板  １２…画
素電極  １３…配向膜  １４…データ線駆動回路  １５…外部回路接続端子  １６…走査
線駆動回路  １７…配線  １８…上下導通材  １９…上下導通端子  ２０…対向基板  ２
Ａ…画素領域（画像表示領域）  ２０ａ…段差面  ２０ｂ…内側面  ２０ｃ…外面  ２１
…偏光板  ２２…対向電極  ２３…配向膜  ２４…シール材  ２４ａ…液晶注入口  ２４
ｂ…封止材  ２５…遮光膜  ２６、２７…可撓性プリント配線基板  ３０…液晶層  Ｈ…
離間距離
【図１】
2010117638.tif 000003
【図２】
2010117638.tif 000004
【図３】
2010117638.tif 000005
【図４】
2010117638.tif 000006
【図５】
2010117638.tif 000007
【図６】
2010117638.tif 000008
【図７】
2010117638.tif 000009
【図８】
2010117638.tif 000010